(57)【特許請求の範囲】
【請求項１】
コンクリートを打設するためにべた基礎底盤上に型枠を所定間隔にあけて設置したセパレーターは、初期移動用打撃を受ける打込部分（3）を延長した長辺方向の全てに短辺中央断面がロの字型に隆起した一体成型品で衝撃力伝達機能がある隆起部分により、前記コンクリートの硬化後に前記セパレーターを前記コンクリートの中からの初期移動及び引き抜きを特徴とする打込部分付き再使用形セパレーター。
【発明の詳細な説明】
【０００１】
【発明が属する技術分野】
本発明は、例えば木造建築物の基礎工事に用いられるセパレーターは、防蟻及び耐震用基礎の一つである床下全面積にコンクリートを打設されたべた基礎の底盤部分上に敷き、立上り壁部の硬化後コンクリートからの取り外しと再使用できる形状。
【０００２】
【従来の技術】
木造建築物の基礎の構造に、建設省告示第1347号（平成12年5月23日）で定義された「べた基礎」が追加された。「べた基礎」は地耐力20KN以上の地盤には数多く採用されつつある。
この「べた基礎」のベース部分は健康上の意味合いから建築基準法に定められて地上50ｍｍ以上露出せねばならない。その基礎底盤上部の上に立ち上がり部分が従来の埋め込み型セパレーターを使用してコンクリートが打設されている。
【０００３】
従来の埋め込み型セパレーターは意匠登録番号0989519に示す通り、製品の断面は逆Ｕ字型のためセパレーターの底部は、約3mmの空閑となりコンクリート打説後には強度と防水性もほとんど無い、レイタンス（生コンの灰汁）が詰まっている。
【０００４】
そこで、木造建築物の基礎は外装仕上げ等を、通常は使用済みセパレーターの外周部分を折り曲げ撤去後モルタル刷毛引き仕上げにて行われているが、下記のような問題点があった。
【０００５】
【発明が解決しようとする課題】
即ち、防水性の無い埋め込み型セパレーターは雨水の排水性も少なく、建設中において窓ガラス及び外装の工事終了までは雨の降るたびに基盤上部に溜まった雨水をバケツ及び小型ポンプにて排水作業を強いられている。また、建築主が入居後家庭菜園等によって基礎外周部に土盛りを50ｍｍ以上行うと床下に雨水が逆流して不衛生となることが多々ある。
【０００６】
また、建築主が入居後家庭菜園等によって基礎外周部に土盛りを50ｍｍ以上行うと、床下に雨水が逆流して不衛生となることが多々ある。
【０００７】
基礎外装モルタル仕上げ等は、劣化と軽微な地震による振動とにより剥離する。
【０００８】
さらに、従来の基礎外装仕上げ等は、全体の建設工程の後半で給排水・ガス配管埋設完了後建物周囲の整地時に行われ、常に作業時間の短縮を求められる。
【０００９】
基礎工事の期間短縮とモルタル仕上げ等の剥離防止には、基礎外周をコンクリート打ち放し仕上げが最適である。
【００１０】
【課題を解決するための手段】
本発明に係る前記課題は、下記構成のセパレーターによって解消される。
【００１１】
コンクリートを打設するためにべた基礎底盤上に型枠を所定間隔にあけて設置したセパレーターは、初期移動用打撃を受ける打込部分（3）を延長した長辺方向の全てに短辺中央断面がロの字型に隆起した一体成型品で衝撃力伝達機能がある隆起部分により、前記コンクリートの硬化後に前記セパレーターを前記コンクリートの中からの初期移動及び引き抜きを特徴とする打込部分付き再使用形セパレーター。
【００１２】
べた基礎の養生とひび割れ防止のためにコンクリートが設計強度まで硬化後に、手ハンマー等の打撃作業をすることが出来る一体成型品の打込部分付き再使用形セパレーター。
【００１３】
衝撃力伝達機能がある隆起部分により、初期移動用打撃を受ける打込部分（3）と型枠を固定する部分（4）及びコンクリートの厚さを定める部品（2）は一体に連なり、生コンクリートの4週間後の設計基準強度まで硬化した時には手ハンマー等の打撃作業の初期移動が可能。
【００１４】
コンクリートの厚さを定める部品（2）の引抜きは、その空洞が基礎底盤上の雨水の排水口となる打込部分付き再使用形セパレーター。
【００１５】
また、コンクリート硬化後の中から型枠止め部分とコンクリートの厚さを定める部品の回収は、打込部分付き再使用形セパレーターは再使用ができる。
【００１６】
【発明の実施の形態】
以下、図1〜図5を参照して本発明に係る打込部分付き再使用形セパレーターの実施形態を説明する。図1は一対の型枠を固定する部分4に型枠をつける前の打込部分付き再使用形セパレーターの使用形態を示す斜視図である。
【００１７】
本実施形態における、打込部分付き再使用形セパレーターは再使用を目的としているから、図２に初期移動用打撃を受ける打込部分（3）を延長した長辺方向の全てに短辺中央断面がロの字型に隆起した一体成型品で衝撃力伝達機能がある隆起部分によりセパレーター本体を設計基準強度まで硬化したコンクリートからの脱却をする。材質は取り外される部品1の着脱が容易であり、初期移動用打撃を受ける打込部分３が強固であり軽量である合成樹脂成形品及び軽量合金成形品が好適資材である。
【００１８】
図3に既存のセパレーターは逆Ｕ字型の鉄板折り曲げ品であったがこの基礎水抜きセパレーターの底面はレイタンスの溜まらないように平滑にしている。
【００１９】
図4に初期移動用打撃を受ける打込部分3を延長した長辺方向の全てに短辺中央断面がロの字型に隆起した一体成型品で衝撃力伝達機能の隆起部分がある。
【００２０】
図5に型枠を止めてコンクリートの厚さを定める部分２は引抜きが容易に行われるべく上辺に勾配をつけました。
【００２１】
【発明の効果】
以上の如く、本発明に係る打込部分付き再使用形セパレーターは以下に記載されるような効果を奏する。
【００２２】
打込部分付き再使用形セパレーターが約60ＣＭ間隔に位置していた穴は、工事中の基盤上の雨水排水口となる。雨水排水口は建設途中の外壁終了まで雨水汲み出しの多大な時間と出費を軽減できる。
【００２３】
また、打込部分付き再使用形セパレーターが引抜かれたコンクリート穴に内側は防水モルタルを詰め外側はシリコーン等の防水樹脂を詰めることによって、入居後の花壇からの床下浸水を無くすことができる。
【００２４】
さらに、セパレーターが引抜かれることによって基礎外周部をコンクリート打ち放し仕上げが出来、モルタル仕上げ等が必要としない。
【００２５】
そして、基礎外周部を打ち放しコンクリート仕上げは、外足場の早期解体となり工期短縮につながる。
【００２６】
【図面の簡単な説明】
【図１】型枠をとりつける前の打込部分付き再使用形セパレーターの構成を示す斜視図である。
【図２】  打込部分付き再使用形セパレーターの平面図である。
【図３】  打込部分付き再使用形セパレーターの底面図である。
【図4】  打込部分付き再使用形セパレーターの図2におけるＡ〜Ａ断面図である。
【図5】図２で示されているＢ〜Ｂ断面図である。
【図6】  打込部分付き再使用形セパレーターの正面図である。
【図７】  打込部分付き再使用形セパレーターの右側面図である。
【図８】  打込部分付き再使用形セパレーターの左側面図である。
【符号の説明】
１  取り外される型枠止め部品
２  コンクリートの厚さを定める部分
３  初期移動用打撃を受ける打込部分
４  型枠を固定する部分
５  釘穴
【図１】
0003903286.tif 000002
【図２】
0003903286.tif 000003
【図３】
0003903286.tif 000004
【図４】
0003903286.tif 000005
【図５】
0003903286.tif 000006
【図６】
0003903286.tif 000007
【図７】
0003903286.tif 000008
【図８】
0003903286.tif 000009